(57)【要約】  前部品（２２）を有する締結用部品駆動工具（１０）のモジュール式マガジン装置のアセンブリ（１２）は、工具に固定され締結用部品のためのチャンバを少なくとも部分的に画定する、第一マガジン装置の筐体部分（３６）を包含する。拡張部分（３６）は、第一マガジン装置の筐体部分に解放可能な取付けのために形成される。拡張部分を組立てる時に、結果として大きな容積のマガジン装置が、少なくとも二つの締結用部品の帯板に適用するために画定され、必要な大きさになる。
2008518797.tif 000002
【特許請求の範囲】
【請求項１】
前部品を有する締結用部品駆動工具のモジュール式マガジン装置のアセンブリであって、
前記工具に固定され、締結用部品のためのチャンバを少なくとも部分的に画定する第一マガジン装置の筐体部分と、
前記第一マガジン装置の筐体部分に解放可能に取付けるように形成される拡張部分であって、前記拡張部分を組立てる時に、結果として大きな容積のマガジン装置が、少なくとも二つの締結用部品の帯板に適用するために画定され、必要な大きさにされる拡張部分と、
を具備する、締結用部品駆動工具のモジュール式マガジン装置のアセンブリ。
【請求項２】
前記工具に解放可能に固定され、前記第一マガジン装置の筐体部分が、少なくとも一つの締結用部品の帯板のためのマガジン装置を画定する第二マガジン装置の筐体部分をさらに包含し、前記第二マガジン装置の筐体部分が端部キャップであり、前記拡張部分が、前記端部キャップの取外し時に、前記第一マガジン装置の筐体部分に固定することが可能である、請求項１に記載のアセンブリ。
【請求項３】
前記第一マガジン装置の筐体部分が、少なくとも一つの締結用部品の帯板の容積を備える、戻しバネと従動部とを包含する、請求項１に記載のアセンブリ。
【請求項４】
前記戻しバネが、少なくとも二つの締結用部品の帯板の容積を有する、請求項３に記載のアセンブリ。
【請求項５】
前記工具に解放可能に固定される前記第二マガジン装置の筐体部分をさらに包含し、前記第一マガジン装置の筐体部分が、締結用部品の通路の第一部分を画定し、前記第二マガジン装置の筐体部分と前記拡張部分との少なくとも一つが、前記締結用部品の通路の第二部分を画定する、請求項１に記載のアセンブリ。
【請求項６】
前記第一マガジン装置の筐体部分が、締結用部品の単一帯板のための容積を備えるマガジン装置の半分を画定し、前記第二マガジン装置の筐体部分が、締結用部品の単一帯板のためのマガジン装置の相補的な半分を画定する、請求項５に記載のアセンブリ。
【請求項７】
前記第一マガジン装置の筐体部分が、締結用部品の単一帯板のための容積を備えるチャンバを画定し、前記拡張部分が、締結用部品の第二帯板のための容積を備える拡張チャンバを画定する、請求項５に記載のアセンブリ。
【請求項８】
前記拡張部分が、前記マガジン装置の相補的な半分を画定し、締結用部品の単一帯板のために組立てられるチャンバを画定し、締結用部品の第二帯板を受容し前記前部品に締結用部品の前記帯板を供給するための、前記組立てられるチャンバと連通する囲われたチャンバをさらに包含する、請求項７に記載のアセンブリ。
【請求項９】
前記第二マガジン装置の筐体部分と前記拡張部分との各々が、関連する従動部と戻しバネとを包含する、請求項５に記載のアセンブリ。
【請求項１０】
前記工具に掛け金を固定的に係合するために、前記第二マガジン装置の筐体部分と前記拡張部分との少なくとも一つのにおいて固定する形態を包含する、請求項１に記載のアセンブリ。
【請求項１１】
前記固定する形態が、偏向された掛け金のボタンによって係合のために形成される開口部を包含する、請求項１に記載のアセンブリ。
【請求項１２】
前記工具が前部品を包含し、前記第二マガジン装置の筐体部分と前記拡張部分とが、前記前部品に各々固定することが可能である、請求項２に記載のアセンブリ。
【請求項１３】
前記第二マガジン装置の筐体部分と前記拡張部分との少なくとも一つに、前記第一マガジン装置の筐体部分を固定するための締付けクリップをさらに包含する、請求項１に記載のアセンブリ。
【請求項１４】
締結用部品駆動工具のためのモジュール式マガジン装置のアセンブリであって、
前部品端部と反対側の締結用部品の装填端部とを有する第一マガジン装置の筐体部分と、
前記前部品端部の方向に締結用部品を押付けるために、前記第一マガジン装置の筐体部分と摺動可能に係合する従動部と、
前記第一マガジン装置の筐体部分と関連し、前記前部品端部の方向に前記従動部を偏向するために前記従動部と接続し、締結用部品の複数の帯板を使用するために形成される従動部バネと、
前記締結用部品の装填端部と係合可能で、締結用部品の複数の帯板が前記前部品端部の方向に前記戻しバネによって押付けられるように、前記従動部を受容するために形成される拡張部分と、
を具備するモジュール式マガジン装置のアセンブリ。
【請求項１５】
前記第一マガジン装置の筐体部分が、締結用部品の通路の第一部分を画定し、前記拡張部分が、締結用部品の通路の第二部分を画定し、前記第一と第二の締結用部品の通路部分が互いに結合するようになっている、請求項１４に記載のアセンブリ。
【請求項１６】
前記第一マガジン装置の筐体部分に画定される従動部の溝と、前記拡張部分に画定される拡張従動部の溝とをさらに包含し、前記従動部の溝が互いに結合するようになっている、請求項１５に記載のアセンブリ。
【請求項１７】
前記第一マガジン装置の筐体部分の前記締結用部品の装填端部に取外し可能に取付け出来る、第二マガジン装置の筐体部分をさらに包含する、請求項１４に記載のアセンブリ。
【請求項１８】
前部品とモジュール式マガジン装置のアセンブリとを有する締結用部品駆動工具であって、
前記工具に固定され、少なくとも部分的に締結用部品のためのチャンバを画定する第一マガジン装置の筐体部分と、
前記工具に解放可能に固定され、前記第一筐体部分が、締結用部品の単一帯板のためのマガジン装置を画定する第二マガジン装置の筐体部分と、
前記第二マガジン装置の筐体部分を取外す時に、前記第一筐体部分に解放可能に取り付けられるように形成される拡張部分であって、前記拡張部分を組立てる時に、結果として大きな容積のマガジン装置が画定され、少なくとも二つの締結用部品の帯板に適用するような大きさにされる拡張部分とを具備し、
前記第二マガジン装置の部分と前記拡張部分とがいずれも、前記前部品に固定可能である、締結用部品駆動工具。
【請求項１９】
前記第二マガジン装置の筐体部分と前記拡張部分のいずれもが、専用の従動部と戻しバネとを有する、請求項１８に記載の工具。
【発明の詳細な説明】
【技術分野】
【０００１】
本発明は、加工素材に締結用部品を駆動するために使用される、締結用部品駆動工具に概ね関し、このような工具は、一般的に燃焼、空気圧、電気、活性化されたエネルギー、又はその他のエネルギー源によって駆動される。
【背景技術】
【０００２】
締結用部品駆動工具は一般的に、締結用部品を駆動するエネルギー源を囲っている筐体と、取っ手又は握り部と、エネルギー源によって加工素材へ駆動するように締結用部品を保持し前進するためのマガジン装置とを包含する。このような工具の締結用部品は一般的に、隣接する締結用部品が、接着剤、溶接ワイヤ、プラスチックの又は紙の力布、丁合帯板又は同等のものと共に保持される線形の帯板に備えられる。マガジン装置において、戻しバネによって偏向された従動部は、一般的に締結用部品がマガジン装置に装填されるマガジン装置の後端部から、前部品／シェアブロックに隣接するマガジン装置の前端部へ締結用部品を押付ける。前部品／シェアブロックにおいて、締結用部品は、往復動する駆動ブレードによって打たれ、加工素材に駆動される。
【０００３】
従来の工具は一般的に、単一又は二つの締結用部品の帯板のいずれかを保持することが可能なマガジン装置を備える。空気圧式組立工具は、大きな容積の締結用部品が駆動される生産現場で使用されるから、二つの帯板の容積のマガジン装置がほとんど独占的に製造される。より大きな容積のマガジン装置は、再装填の中断時間を50％まで削減する。
【０００４】
その一方で、コードレス携帯締結用部品駆動工具、特に組立タイプの物は、一般的に単一締結用部品の帯板容積のマガジン装置のみを備える。より低容積のマガジン装置は、携帯性、工具の調和、及びユーザの人間工学を改善するようになっている。加えて、コードレス工具は、例えば小屋組及び改装工事のような隙間のない又は限定された領域で使用できるようになっており、そのような場所では、長くて高容積のマガジン装置は障害物となる。
【発明の開示】
【発明が解決しようとする課題】
【０００５】
上記の確認された慣例にもかかわらずある適用のために、同時に複数の締結用部品の帯板を装填する可能性を有する携帯工具が、ユーザにとって必要である。一つの提案された解決策は、単一締結用部品の帯板容積を備える物、複数の締結用部品の帯板の容積を備える別の物のように、複数のマガジン装置を用意することである。しかしながら、この取合せの不利な点は、想定される工具の型に依存して、例えば戻しバネ、付随するブラケット、及び前部品／シェアブロック構成要素のようなマガジン装置の構成要素を重複して包含し、同時に結果として追加的な重量、容積、及び経費をもたらすことである。複数のマガジン装置の別の不利な点は、予備のマガジン装置の現場保管の問題である。
【０００６】
従って、上で議論した課題に取組む方法において、一つの又は複数の締結用部品の帯板のいずれかを使用する可能性を有する締結用部品駆動工具が必要である。
【課題を解決するための手段】
【０００７】
上に記載された要求は、締結用部品駆動工具のための本モジュール式マガジン装置によって、かなえられ又はそれを越えられる。締結用部品駆動工具は、締結用部品の単一帯板のための容積を有する標準マガジンを備える。一つの実施形態において、マガジン装置の任意の取外し可能な端部キャップは、標準のマガジン装置に固定されるマガジン装置の拡張部と交換される。特別な構造を有する締結用部品の従動部は、単一と複数との締結用部品の帯板のいずれかで使用が出来るように、標準のマガジン装置に供給される。それ自体は、幾つかのマガジン装置の構成要素、特に工具の前部品に係合することによって含まれる物については、交換されず重複もしない。これらの構成要素は、爪帯板の従動部、爪のロックアウト機構、及び前部品／シェアブロック係合プレートを包含する。
【０００８】
別の実施形態においてマガジン装置は、少なくとも二つの主要な構成要素にあてがわれ、そのうちの一つは、通常の使用で工具に取り付けられたままである。相補的な部分は、二つの寸法、すなわち単一の帯板の寸法と２つの帯板の寸法に規定される。各々の相補的な部分は、それ自体の従動部と戻しバネとを有する。
【０００９】
第一実施形態を用いて、ユーザは、任意のエンドキャップを取除き、拡張部を取付け、装填位置に従動部を引張り、複数の締結用部品の帯板を装填することによって、単一の帯板から複数の帯板の適用に改造することが可能である。第二実施形態において、ユーザは、単一と複数との間の締結用部品の帯板の操作で工具を交換するために、相補的な部分を取除く。
【００１０】
さらに詳細には、前部品を有する締結用部品工具のモジュール式マガジン装置のアセンブリは、工具に固定され、締結用部品のためのチャンバを少なくとも部分的に画定する第一マガジン装置の筐体部分と、工具に解放可能に固定され、第一マガジン装置の筐体部分が、少なくとも一つの締結用部品の帯板のためにマガジン装置を画定する第二マガジン装置の筐体部分とを包含する。拡張部分が用意され、第二マガジン装置の筐体部分を取外す時に、第一マガジン装置の筐体部分に解放可能に取付けて形成される。拡張部分を組立てる時に、結果として大きな容積のマガジン装置が画定され、少なくとも二つの締結用部品の帯板に適用するための大きさになる。
【発明を実施するための最良の形態】
【００１１】
図１、２、及び１０を参照して、本モジュール式マガジン装置を使用するために適する燃焼駆動式締結用部品駆動工具は、一般的に１０で表示される。燃焼駆動式締結用部品駆動工具として例示される一方、工具１０は、締結用部品のマガジン装置１２が使用される限り、燃焼駆動、空気圧、電力、活性化されたエネルギー、又はその他のエネルギー源によって操作されようと、どれも締結用部品駆動工具として考えられる。本願において、完全な工具１０は、技術的に周知であるから表示されない。技術的に周知とされる単一又は複数の構成要素の形態で提供される主筐体１４は、工具の構成要素を囲い、ある場合においては、マガジン装置１２の全てではないとしても、少なくとも一部分を含んでいる。引き金１８を備える取っ手部分１６は、筐体１４に包含される。工具１０の前端部２０は、前部品又はシェアブロック２２を有し、それは、マガジン装置１２から締結用部品を受容し、駆動ブレード（示されていない）の働きを介して、加工素材に締結用部品を駆動する。
【００１２】
マガジン装置１２は、スロット又は溝２６に摺動可能に係合される従動部取っ手２４を包含し、従動部２８（隠れている）に接続される。少なくとも一つの従動部取っ手２４と従動部２８とは、従動部戻しバネ３０（隠れている）に接続され、それは、技術的に周知な前部品２２の方向に、従動部とマガジン装置１２に配置される締結用部品とを押付ける。マガジン装置１２の重要な特徴は、従動部戻しバネ３０が、締結用部品の単一の帯板に必要とされるより長い長さを有することであり、好ましくは締結用部品の少なくとも二つの帯板を使用するための適切な長さを有する。
【００１３】
工具１０の前端部２０の反対側に、取外し可能な端部キャップ３４を備える後端部３２がある。従って、図１と２のマガジン装置１２は、工具１０に固定され締結用部品のための（隠れている）チャンバ３８を少なくとも部分的に画定する第一マガジン装置の筐体部分３６、及び工具に解放可能に固定され第一筐体部分が締結用部品の単一帯板に適用するための容積を有するマガジン装置を確定する第二マガジン装置の筐体部分３４（この実施形態において端部キャップ）から構成される。この実施形態において、端部キャップ３４は、筐体１４に解放可能に固定され、チャンバ３８と溝２６の両方の、後の囲う端部を画定し、また締結用部品の供給入口スロット４０を備える（図１０が最も良く分かる）。供給入口スロット４０は、前部分２２の方向に締結用部品を導くために、第一マガジン装置の筐体部分３６と端部キャップ３４との両方に配置される部分を有するブラケットのような締結用部品の通路４１（図２）と連通し、結合するようになっている。技術的に周知であるように、締結用部品の溝４１は、締結用部品のヘッドと摺動可能に係合するために、間隔を空け、向き合い、内側に向かって延伸するリブ４１ａ（図９）を備える逆Ｕ字を有する。締結用部品の軸部は、リブの隙間で摺動する。
【００１４】
図１、２、及び４を参照して、端部キャップ３４は、上下の端部で筐体１４に係合し、マガジン装置１２の凹部又はポケット４６（隠れている）で、下端部４４を配置するための舌状部４２を備えている。上端部４８で端部キャップ３４は、開口部５２を有する凹所のリブ５０を備える。開口部５２は、偏向された掛け金のボタン５６上のピン５２によって係合され、ボタンは偏向する要素５８、好ましくはコイルバネによって、固定される位置に押付けられるが、その他の周知の形式のバネ及びその他の偏向要素も考えられる。ボタン５６は「Ｌ」字形状の部材６０を有しピン５４を備える部材は、側面から見た場合に、概ね「Ｕ」字形状を形成する。指パッド６２は、ボタン５６を完成するために部材６０と結合され、ボタンは好ましくは、筐体１４の取っ手部分１６内に配置されるが、工具１０上のその他の適切な場所も考えられる。ボタン５６と舌状部４２に加えて、技術的に周知な端部キャップ３４のリブ又は舌状部６５と係合する、溝が彫られた部分６４（図２）で一部分画定されるスナップの適切な配置によって、第一マガジン装置の筐体部分３６に端部キャップ３４を維持してもよい。
【００１５】
図１、２、及び１０に示される実施形態において好ましい一方で、端部キャップ３４は任意と考えられ、ある場合にマガジン装置１２が、第一マガジン装置の筐体部分３６から主に構成されることが理解されるだろう。このような実施形態において、第一マガジン装置の筐体は、それ自体の供給入口スロット（示されていない）を備え、スロットは、締結用部品の通路４１と連通する。従って、締結用部品の帯板は、工具１０の後端部３２で、締結用部品の通路４１に直接挿入される。
【００１６】
図３を参照して、二つ又はそれ以上の締結用部品の帯板の工具容積が所望される場合の事例において、概ね６６で表示され、また拡張部と呼ばれる拡張部分は、任意の端部キャップ３４を取外す時に、第一マガジン装置の筐体部分３６に解放可能に取付けるように形成される部分を備える。拡張部分６６は、概ね少なくとも同じ長さで、好ましくは締結用部品の第二の又は複数の帯板に適用するための拡張チャンバ６８を画定するために、端部キャップ３４より長さを長くし、またスロット２６と結合するスロットセグメント７０を包含する。第一マガジン装置の筐体部分３６に拡張部分６６を組込む時に、構成要素５０、５２と同様に構成される凹部のリブ７２と開口部７４、及び舌状部４２と同様に構成される舌状部７６は、端部キャップ３４と同様の方法で、所定の場所に拡張部を固定するために使用される。
【００１７】
所定の場所に拡張部分６６を備えると、結果として大きな容積のマガジン装置が、少なくとも二つの締結用部品の帯板に適用するために画定され必要な大きさになる。従動部の戻しバネ３０が特別に長いから、同様の従動部２８と取っ手２４は、複数の締結用部品の帯板が拡張された大きな容積のマガジン装置に挿入される場合に使用される。従動部の取っ手２４は、図３で拡張部分６６の虚像として、十分に延伸した位置に示される。拡張部分６６はまた、前部品２２の方向への締結用部品の連続した摺動を助長するために、工具１０の締結用部品の通路４１と結合する締結用部品の通路の拡張部７８を備える。端部キャップ３４又は拡張部分６６のいずれかが取付けられる場合に、工具１０は好ましくは、マガジン装置１２の下端部と共に固定するために、延伸した概ね「Ｕ」字形状のクリップ７９を備える。
【００１８】
図５から７を参照して、マガジン装置１２に関する代替の実施形態は、概ね８０で表示される。共通の構成要素は、同一つの参照番号で表示される。二つの実施形態１０、８０の操作は、本質的に同一であり、端部キャップ８２が、単一帯板の締結用部品の適用のために使用される。端部キャップ３４を備える場合のように、端部キャップ８４は任意である。締結用部品の複数の帯板に適応するための容積が所望される場合に、拡張部８４が端部キャップ８２と交換される。実施形態１０と８０との主な相違点は、掛け金機構、特に端部キャップ８２と拡張部８４の構成であり、その各々が、前方に開口する概ね鍵穴形状の開口部８８を備えるタブ８６を有する。開口部８８は、掛け金のボタン９０と開放可能に固定される係合のために構成され配置される。筐体１４の後部は、端部キャップ８２又は拡張部８６が取付けられる場合に、タブ８６に適用するためのスロット（示されていない）を備える。
【００１９】
図１８を参照して、掛け金のボタン９０は、掛け金のボタン５６と機能的に類似しているが、構成において相違する。ボタン９０は、細くなった首部９４に固定される指パッド９２と概ね軸方向に整列する。下端部で首部９４は、筐体１４にボタン９０を維持するために用意された、少なくとも一つの及び好ましくは二つの、半径方向に延伸する周囲に突出た耳部９８、半径方向に延伸するディスク、又はその他の相当する構造を備える、相対的に大きな直径の円筒部分９６に接続される。偏向要素１００、例えばコイルバネ又は偏向要素５８に関して上述されたと同様な物は、円筒部９６に適用され、固定される位置に掛け金のボタン９０を偏向し、所定の場所に端部キャップ８２又は拡張部分８４のいずれかを保持する。
【００２０】
狭い首部９４は、鍵穴開口部８８の狭い部分１０２と摺動的に係合するために形成され、円筒部分９６は、鍵穴開口部の概ね円形の大きな直径部分１０４と摺動的に係合するために形成される。従って固定された位置で、円筒部分９６と大きな直径部分１０４とは係合する。端部キャップ８２又は拡張部８４のいずれかを解放するために、掛け金のボタン９０は、首部９４を狭い部分１０２と整列し、後方にマガジン装置の筐体構成要素のそれぞれを解放することを可能にするために、偏向要素１００の偏向する力に抗して下に押される。
【００２１】
図１１、１２、及び１３を参照して、本工具１０の代替の実施形態は、概ね１１０で表示される。実施形態１０と８０で共有される構成要素は、同一の参照番号で表示される。工具１１０の操作は、概ね工具１０の操作と同一であり、主な相違点は、マガジン装置が工具に組込まれる方法にある。図１１に示すように、前部品１１２は、好ましくは鋳造とその後の機械加工によって形成される、少なくとも一つの及び好ましくは二つの、ネジが切られたソケット１１４を有するが、その他の製造技術も考えられる。また、主要な筐体１１６は、取っ手部分１６の近傍に装着点１１８を有する。第一マガジン装置の筐体部分は、その長手方向に沿って分割され、前部品１１２から後端部３２に延在する半分のマガジン装置１２０の形態で備えられる。示されるように、半分のマガジン装置１２０は、締結用部品の少なくとも単一帯板のための容積を有する。内壁１２２は、前部品１１２の方向に締結用部品を摺動可能に導く及び／又は支持するための一対の横方向に延在する波板１２４を有する。工具１１０のこの部分には、従動部２８、戻しバネ３０、従動部の取っ手２４、及び締結用部品の通路４１が無いことに注意のこと。
【００２２】
図１１を参照して、マガジン装置の半分によって表される第二マガジン装置の筐体部分は、概ね１３０で表示され、締結用部品の少なくとも単一帯板に適用するための大きさで作られる。さらに、筐体部分１３０は、マガジン装置の相補的な半分を備える半分のマガジン装置１２０と整列するために、工具１１０と係合して形成される。締結用部品の小穴１３２、１３４はそれぞれ、ネジが切られた締結用部品又は同様の物を使用して、半分のマガジン装置１２０に筐体部分１３０を固定するために、ネジが切られたソケット１１４及び装着点１１８とを整列する。一組の二つの小穴１３２は、図９に筐体部分１３０の装置内の側面で示される。一度結合すると、後端部３２で部分１２０、１３０は、締結用部品の供給入口スロット４０（図１０）を形成する。部分１３０は、従動部２８、従動部戻しバネ１３６（両者とも隠れている）、及び従動部の取っ手２４を有する。筐体部分１３０と第一マガジン装置の筐体部分３６（図１）との相違点は、第一マガジン装置の筐体部分３６が、従動部２８、従動部の取っ手２４、及び戻しバネ３０を包含し、それに対して筐体部分１３０は、従動部２８、従動部の取っ手２４、及び戻しバネ１３６を包含することである。別の相違点は、その他の部分もまたそうであるように、第一マガジン装置の筐体部分３６が、締結用部品の少なくとも二つの帯板に適用することが可能な従動部の戻しバネ３０を有し、一方部分１３０のバネ１３６が、締結用部品の単一帯板にのみ適用することが可能なことである。
【００２３】
図９、１１、１２、及び１３を参照して、実施形態１１０の拡張部分は、概ね１４０で表示される。拡張部分１４０は、第二マガジン装置の筐体部分１３０と構成要素を共有し、同一の参照番号で表示される。拡張部分１４０と第二マガジン装置の筐体部分１３０との主な相違点は、拡張部分１４０が、締結用部品の少なくとも二つの帯板に適用するために必要な大きさになっていることである。拡張部１４０の前端部１４２は、部分１３０と同様の方法で半分のマガジン装置１２０に対して相補的な半分となり、組立てられるマガジン装置のチャンバを形成する。しかしながら、後端部１４４が、工具１１０の後端部３２を越えて延伸するから、後端部１４４は、締結用部品の供給入口スロット４０を画定する、囲まれたマガジン装置のチャンバ１４５を包含する（両者とも隠れている）。すなわち、後端部１４４は、相補的なマガジン装置の両半分を包含する（図１３で最も良く分かる）。また、延伸部１４０は、それ自体の従動部２８、従動部の取っ手２４、締結用部品の少なくとも二つの帯板に適用するために十分な長さの従動部の戻しバネ１４６、及び比較的長い従動部の溝１４７を包含することが理解されるだろう。囲まれたマガジン装置のチャンバ１４５は、半分のマガジン装置１２０に前端部１４２を取付けることによって形成される組立てられたチャンバと連通する。
【００２４】
筐体部分１３０と拡張部分１４０の両方が、導入スロット４０に供給される締結用部品を摺動可能に受容するために、締結用部品の通路４１を有することは理解されるだろう。加えて、筐体部分１３０と拡張部分１４０の両方が、概ね「Ｕ」字形状の締付けクリップ又はブラケット７９、１４８を包含し、それは相補的な半分の下端部と摺動可能に係合し、それらを共に保持する。クリップ１４８は、クリップ７９と同一の断面形状からなるが、より長い。図１４で分かるように、内側に向かって突出る端部１５０は、半分１２０、１３０、及び半分１２０、１４０の溝１５２と係合する。
【００２５】
工具１００において、ユーザが、単一帯板に適応しているマガジン装置から二つの帯板を適用するマガジン装置に交換が必要となる場合に、ユーザは、１１４と１１８の点で締結用部品を取外し、溝１５２の後方にクリップ７９を摺動する。第二マガジン装置の筐体部分１３０は、その戻しバネ３０、従動部２８、及び従動部の取っ手２４と共に取除かれ、逆の手順で組立てられて拡張部分１４０と交換される。実施形態の全てにおいて、締結用部品は、入口スロット４０を介して供給される。
【００２６】
幾つかの有点は、本構造によって提供される。製造と販売の経費は、構成要素の重複がないために低減される。ユーザは、様々な適用に合致する、様々なマガジン装置の容積の順応性を提供される。本マガジン装置の拡張部が、補足する複数帯板の容積のマガジン装置よりも、又は標準の単一帯板の容積のマガジン装置と比べてさえ、より短いから、工具と構成要素との保管における要求も又低減される。
【００２７】
締結用部品駆動工具のための本モジュール式マガジン装置の特定の実施形態が、示され述べられた一方で、変更と改良は、より広範囲な態様において及び請求項で説明されるような本発明から逸脱することなく、ここに成し得ることが当業者によって認識されるだろう。
【図面の簡単な説明】
【００２８】
【図１】単一帯板形式の本モジュール式マガジン装置を装備した、締結用部品駆動工具の部分斜視図である。
【図２】拡張部の据付のために組立分解で示される、端部キャップを備える図１の工具の部分斜視図である。
【図３】組立分解で示される拡張部を備える、図１の工具の部分斜視図である。
【図４】図１の工具で使用される解除ボタンの側面図である。
【図５】単一帯板形式の代替の実施形態の本モジュール式マガジン装置を装備した、締結用部品駆動工具の部分斜視図である。
【図６】拡張部の据付のために組立分解で示される、端部キャップを備える図５の工具の部分斜視図である。
【図７】組立分解で示される拡張部を備える、図５の工具の部分斜視図である。
【図８】図５の工具で使用される解除ボタンの側面図である。
【図９】図５の工具のマガジン装置の筐体部分の内壁の部分斜視図である。
【図１０】図１の工具の背面図を示す。
【図１１】単一帯板のマガジン装置を備える本工具の別の代替の実施形態の組立分解斜視図である。
【図１２】マガジン装置の拡張部を備える図１１の工具の組立分解斜視図である。
【図１３】図１２のマガジン装置の拡張部の真上からの平面図である。
【図１４】図１１と１２が組立てられて示されているマガジン装置を示す部分断面図である。
【図１】
2008518797.tif 000003
【図２】
2008518797.tif 000004
【図３】
2008518797.tif 000005
【図４】
2008518797.tif 000006
【図５】
2008518797.tif 000007
【図６】
2008518797.tif 000008
【図７】
2008518797.tif 000009
【図８】
2008518797.tif 000010
【図９】
2008518797.tif 000011
【図１０】
2008518797.tif 000012
【図１１】
2008518797.tif 000013
【図１２】
2008518797.tif 000014
【図１３】
2008518797.tif 000015
【図１４】
2008518797.tif 000016
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
前部品を有する締結用部品駆動工具のモジュール式マガジン装置のアセンブリであって、
前記工具に固定され、締結用部品のためのチャンバを少なくとも部分的に画定する第一マガジン装置の筐体部分と、
前記第一マガジン装置の筐体部分に解放可能に取付けるように形成される拡張部分であって、前記拡張部分を組立てる時に、結果として大きな容積のマガジン装置が、少なくとも二つの締結用部品の帯板に適用するために画定され、必要な大きさにされる拡張部分と、
を具備する、締結用部品駆動工具のモジュール式マガジン装置のアセンブリ。
【請求項２】
前記工具に解放可能に固定され、前記第一マガジン装置の筐体部分が、少なくとも一つの締結用部品の帯板のためのマガジン装置を画定する第二マガジン装置の筐体部分をさらに包含し、前記第二マガジン装置の筐体部分が端部キャップであり、前記拡張部分が、前記端部キャップの取外し時に、前記第一マガジン装置の筐体部分に固定することが可能である、請求項１に記載のアセンブリ。
【請求項３】
前記第一マガジン装置の筐体部分が、少なくとも一つの締結用部品の帯板の容積を備える、戻しバネと従動部とを包含する、請求項１に記載のアセンブリ。
【請求項４】
前記戻しバネが、少なくとも二つの締結用部品の帯板の容積を有する、請求項３に記載のアセンブリ。
【請求項５】
前記工具に解放可能に固定される前記第二マガジン装置の筐体部分をさらに包含し、前記第一マガジン装置の筐体部分が、締結用部品の通路の第一部分を画定し、前記第二マガジン装置の筐体部分と前記拡張部分との少なくとも一つが、前記締結用部品の通路の第二部分を画定する、請求項１に記載のアセンブリ。
【請求項６】
前記第一マガジン装置の筐体部分が、締結用部品の単一帯板のための容積を備えるマガジン装置の半分を画定し、前記第二マガジン装置の筐体部分が、締結用部品の単一帯板のためのマガジン装置の相補的な半分を画定する、請求項５に記載のアセンブリ。
【請求項７】
前記第一マガジン装置の筐体部分が、締結用部品の単一帯板のための容積を備えるチャンバを画定し、前記拡張部分が、締結用部品の第二帯板のための容積を備える拡張チャンバを画定する、請求項５に記載のアセンブリ。
【請求項８】
前記拡張部分が、前記マガジン装置の相補的な半分を画定し、締結用部品の単一帯板のために組立てられるチャンバを画定し、締結用部品の第二帯板を受容し前記前部品に締結用部品の前記帯板を供給するための、前記組立てられるチャンバと連通する囲われたチャンバをさらに包含する、請求項７に記載のアセンブリ。
【請求項９】
前記第二マガジン装置の筐体部分と前記拡張部分との各々が、関連する従動部と戻しバネとを包含する、請求項５に記載のアセンブリ。
【請求項１０】
前記工具に掛け金を固定的に係合するために、前記第二マガジン装置の筐体部分と前記拡張部分との少なくとも一つのにおいて固定する形態を包含する、請求項１に記載のアセンブリ。
【請求項１１】
前記固定する形態が、偏向された掛け金のボタンによって係合のために形成される開口部を包含する、請求項１に記載のアセンブリ。
【請求項１２】
前記工具が前部品を包含し、前記第二マガジン装置の筐体部分と前記拡張部分とが、前記前部品に各々固定することが可能である、請求項２に記載のアセンブリ。
【請求項１３】
前記第二マガジン装置の筐体部分と前記拡張部分との少なくとも一つに、前記第一マガジン装置の筐体部分を固定するための締付けクリップをさらに包含する、請求項１に記載のアセンブリ。
【国際調査報告】
2008518797.tif 000017
2008518797.tif 000018
2008518797.tif 000019